(57)【特許請求の範囲】
【請求項１】
透明シートによる箱状躯体の所要部に配置した熔着ラインによりエアの入脱を自在に構成し、エア注入によって膨張し支持力が付与される袋状支持骨格を、上面シートと背面シートの四囲及び両側シートの上面シートと背面シートとの接合部と前面部から背面下端部に掛けて斜降させて配置した覆蓋体の前面に、前面透視窓を構成する透明シートを垂下設定した覆蓋の下縁に沿って座席シートを着脱可能に覆う座席カバーの上縁を着合すると共に、座席カバーの一側若しくは両側に裾部から上縁まで開閉するファスナーによる開口部を設けるようにしたことを特徴とする座席シートカバー
【請求項２】
垂下設定された前面透視窓を構成する透明シートの周端縁と、これに沿う座席カバーの上縁との着合をファスナーによる着合として、前記前面透視窓を構成する透明シートを開閉可能に構成すると共に、前面シートの両側に棒ハンドル等の側方突出物をカバー外に露出させる面ファスナーによる開閉自在な切り割り部を設けるようにした請求項１記載の座席シートカバー
【請求項３】
カバー本体の所要部にメッシュ生地による通気部を設け、通気部の表面を、下側の所定部位まで袋状に縫着したフラップによって覆うようにした請求項１又は請求項２記載の座席シートカバー
【請求項４】
覆蓋体の後背面に、座席シートにカバー本体を固定する締着バンドを座席の形態に対応して複数種設定すると共に、各締着バンドを色分けによって識別できるようにした請求項１又は請求項２又は請求項３記載の座席シートカバー
【請求項５】
カバー本体下端縁の伸縮調整部を、カバー本体後背部両側にそれぞれ一端部を止着した挿通紐材の中央部をカバー本体前面に設けた切れ込み凹部に引き出し、絞り締止部材によって絞り調整するように構成した請求項１又は請求項２又は請求項３又は請求項４記載の座席シートカバー
【発明の詳細な説明】
【技術分野】
【０００１】
本発明は、自転車のチャイルドシート、ベビーカーや車いす等、幼児や老人等を乗せて屋外移動する際に、幼児や老人等庇護搭乗者を風雨や寒気、日差し或いは蚊等の害虫から防護するための座席シートカバーに関するものである。
【背景技術】
【０００２】
従来より、自転車の前後部に子供を乗せるチャイルドシートを取り付けた自転車のチャイルドシートやベビーカーや車いすなどの搭乗者を保護するための座席シートカバーは数多く開発されてきているが、シートフレームへの着脱、庇護搭乗者の乗り降りが極めて面倒であり、急な風雨への対応や、露出割合、座席スペースの居住性など多くの問題が残されている。
【０００３】
このような問題への対応として、自転車のチャイルドシートについて、ドーム型の覆いを、両端部を収束可能に放射状に配置した棒状骨格によって支持する特許文献１による提案やレインコート感覚で自転車のチャイルドシートフレームに着装でき、取り外すことなく子供を乗せ降ろしできるレインカバーについての本願発明者による特許文献２、３の提案も存在する。
【０００４】
更に、庇護搭乗者である赤ん坊を虫刺されや直射日光から防護するため、紫外線を遮るシートにメッシュシートによる通気部を配置したシートカバーによりべビーカー本体をすっぽり包む特許文献４の提案、前フレームの上側にスライドファスナーによって開閉する乳幼児乗降用開閉部を設けることを提案する特許文献５、後ろカバーと向かい合う前掛け部が環状につながり、その上下が開口し上下縁を伸縮性縁部に構成することを提案する特許文献６も存在する。
【先行技術文献】
【特許文献】
【０００５】
【特許文献１】特開２００７−３１４０４３号公報
【特許文献２】実用新案登録第３１６４５６０号公報
【特許文献３】実用新案登録第３１６６３１４号公報
【特許文献４】特開２００９−１１９９３３号公報
【特許文献５】特開２００４−３３８７０５号公報
【特許文献６】特許第４６７３４４１号公報
【発明の概要】
【発明が解決しようとする課題】
【０００６】
しかしながら、上記した従来の座席シートカバーは、特許文献１のように庇護搭乗者の居住スペースを確保する場合には支持部材が棒状でシートフレームへの取り付けが面倒なうえ、折り畳んで携帯する軽便性に欠ける恨みがあり、柔軟なシート生地により構成して折り畳み携帯を可能に構成した場合には、庇護搭乗者の座席スペースが狭隘で息苦しい座席環境となる問題がある。
【０００７】
更に、風雨や蚊等の害虫の侵入を防護するために、密閉性を強化すれば、シートフレームへの取り付けが面倒となり、通気性に問題が発生するほか、苦痛等の訴えをすることが困難な庇護搭乗者の座席環境にも大きな影響を及ぼすことになる。
【課題を解決するための手段】
【０００８】
本発明は上記した課題に対応しようとするものであり、座席シートを覆うカバー本体の上部に、エアの注入によって支持力が付与される袋状支持骨格を周縁屈角部等の所要部に配して躯体を形成した覆蓋体の前面に、カバー本体内の庇護搭乗者が前面を見通せる風防を構成する透明前面シートを垂下設定した蓋体を連接して、覆着カバー内の居住性を高めると共に骨格となる支持骨格をエアの注入による袋状支持骨格として、エアの入脱によって全体をコンパクトに纏められるように構成した。
【０００９】
また、カバー本体の所要部にメッシュ生地を張った通気部を設け、通気部の表面を下側の所定部位まで袋状に縫着したフラップによって覆うようにし、通気部が固定的な開放状態や覆蓋状態となることを避け、フラップによる自然な覆着形態とすると共に、カバー本体下端縁の伸縮調整部を、カバー本体後背部両側にそれぞれ一端部を止着した挿通紐材の中央部をカバー本体前面に設けた切れ込み凹部に引き出し、絞り部材によって絞り調整するように構成してカバー装着の簡略化を図るようにした。
【００１０】
更に、覆蓋体の後背面に、座席シートにカバー本体を固定する締着バンドを座席の形態に対応して複数種設定すると共に、各締着バンドを色分けによって識別できるようにして座席シートの多様性に対応すると共に、座席シートへのカバー本体装着の安定を図るように構成した。
【発明の効果】
【００１１】
本発明は、上記のようにエアの注入によって支持力が付与される袋状支持骨格を周縁屈角部等に配して覆蓋体の躯体を形成したことにより、常時は柔軟なシート生地による基本形態を維持しながら、使用する際に袋状支持骨格にエアの注入を行えば、固定骨格を用いたと同様の支持力による座席環境とスペースを確保することができた。
【００１２】
また、メッシュ生地を張った通気部の表面を下側の所定部位まで袋状に縫着したフラップによって覆って、通気部が固定的な開放状態や覆蓋状態となることを避け、フラップの過度なはためきを避けて自然な覆着形態とすることによって、風雨等によってフラップ表面側に圧力が掛かる場合にはフラップが内側に圧接してその侵入を防護し、無風或いは微風状態の場合にはフラップが自然な気流に誘導されて適切で自然な通気作用が行われる。
【００１３】
更に、カバー本体の一側を上下に全面開閉するファスナーによる拡開部、或いは垂下設定された前面風防を構成する透明シートの周端縁をファスナーによる着合として、透視窓を構成する透明シートを開閉可能に構成すると共に、カバー本体下端縁を、カバー本体後背側両側にそれぞれ一端部を止着した挿通紐材の中央部をカバー本体前面に設けた切れ込み凹部に引き出し、絞り部材によって絞り調整して締止するように構成したことにより、前記拡開部を広げて庇護搭乗者が着席状態のままの座席部をシートカバーで覆ってファスナーを閉じ、下端縁切れ込み凹部に引き出されている挿通紐材を、絞り部材によって絞り調整してカバー本体の裾部をシートフレームに締着すれば、一挙にカバー覆着を完了できる。
【図面の簡単な説明】
【００１４】
【図１】本発明の実施例を示すもので、本発明による座席シートカバーの全体構造を示す正面図
【図２】同じく、カバー本体の側部に拡開部を設けた実施例の、座席シートカバーの前面部と後背部及び覆蓋体の関係を示す座席シートカバーの全体側面図
【図３】同じく、透明前面シート周縁をファスナーにより開閉可能に構成した実施例の、座席シートカバーの前面部と後背部及び覆蓋体の関係を示す座席シートカバーの全体側面図
【図４】同じく、熔着仕切りラインを配設して形成した覆蓋体における袋状支持骨格の配置状態とエア流入径路を示す覆蓋体の展開図
【図５】同じく、図４の稜辺部を接合熔着して立体構成にした覆蓋体における袋状支持骨格の配置状態とエア流入径路を示す膨張硬化前の状態における覆蓋体の斜視図
【図６】同じく、図４を変形した覆蓋体の他の実施例を示すもので、稜辺部に角度を付けることにより前面風防透明窓部を傾斜させると共に、袋状支持骨格の中央部に支持骨格強化熔着ラインを設定し、カバーの背面内側に座席シートへの締着バンド等を設定する舌辺を配設した覆蓋体の展開図
【図７】同じく、座席シートカバーのカバー外表背面部における覆蓋体下縁とカバー体上縁部との着合状態を示すカバー外表側背面図
【図８】同じく、座席シートカバーの背面内側に配設した座席シートへの締着バンドの状況とカバー背面部における覆蓋体下縁とカバー体上縁部との着合状態を示すカバー内側背面図
【図９】同じく、ヘッドレスの無い自転車リアシートに本発明による座席シートカバーを着装して締着バンドによる固定を行った状態を自転車サドル側から風防透明窓を透して見た参考斜視図
【図１０】同じく、ヘッドレスのある自転車リアシートに本発明による座席シートカバーを着装して締着バンドによる固定を行った状態を自転車サドル側から風防透明窓を透して見た参考斜視図
【図１１】同じく、自転車のフロント、リアの各シートに本発明による座席シートカバーを着装した状態を示す自転車全体の参考斜視図
【発明を実施するための形態】
【００１５】
以下、図面を参照して本発明の実施の形態について詳細に説明する。１はカバー本体で、前面部１１と後背部１２とから成り、ナイロン又はポリエステルによる撥水・防水性を備えた軽量シートによって構成されている。
【００１６】
２は覆蓋体で、周縁屈角部にエアの注入によって支持力が付与される袋状支持骨格２１を配した柔軟な透明ビニールによる箱状の躯体が座席シートの屋根２２と側部窓２３を構成し、前面部２４には風防透視窓を構成する透明前面シート３が垂下設定されている。この透明ビニールには、必要に応じ紫外線を遮る加工を行う。
【００１７】
箱状の躯体は図４、図６に示す展開図の稜辺２ａｕと２ａｖ、２ａｘと２ａｙとを接合熔着することによって箱状に立体化し、図５に示すように、２重シートによる躯体の稜部２ａ、２ａ・・を熔着ライン２ｂによって仕切り接着して柱状の袋に形成した袋状支持骨格２１を配置して立体構造の骨組みを構成するとともに、所要部に熔着ラインの断裂部２ｄを形成して袋体が相互に連通して一箇所からエアを注入すれば各袋体に順次エアが流入して全体を膨張硬化されるように構成されている。また、構成によって袋状支持骨格２１の容積が大きくなるときは、図６に示すような支持骨格強化熔着ライン２６を設けて容積調整を行って安定した立体構造を維持するようにする。
【００１８】
また、覆蓋体２は図６に示すように稜辺部に角度を付けることにより前面風防透明窓部を傾斜させると共に、袋状支持骨格の中央部に支持骨格強化熔着ライン２６を設定して立体構造の安定を図り、更に、透明ビニールの生地に、うるさく感じられない範囲で、子供が興味を持つキャラクター３４や適度の模様を配して、庇護搭乗者の興味を惹いたり外見上の美観を調えるようにする。
【００１９】
覆蓋体２の下部は、カバー本体の後背部１２の上縁と縫着され、縫い代は撥水素材のバイヤステープによる始末によって縫い目からの雨水等の侵入が防止されるようになっており、前面の透明前面シート３の下側周縁と覆蓋体２の前面両側も上記同様の防水縫着により、カバー本体前面部１１の両側縁と着合されている。
【００２０】
カバー本体前面部１１の下端裾部に後背側両側にそれぞれ一端部を止着３２した挿通紐材５の中央部を、前面に切り込んだ切れ込み凹部１３から引き出し、絞り締止部材５１によって収縮方向に絞り調整して座席シート下縁に締着するようにされるものである。絞り締止部材５１は両側から引き出された紐をワンタッチで締着する公知の部材が存在するので、これを利用して迅速な絞り処理を行うことができる。なお、ベビーカーや車いす等の場合には切れ込み凹部１３を設ける必要はない。
【００２１】
また、カバー本体後背部１２の下端縁には平ゴム等の伸縮紐材が挿通されて収縮方向に付勢されている。庇護搭乗者の乗り降りは、前記透明前面シート３の下側周縁とカバー本体上端周縁の着合を前記のような縫着によらず周縁ファスナー３１によって透明前面シート３を開閉可能に構成するか、或いはカバー本体後背部１２の前面側両側又は一側に、上下に全面開閉するスライドファスナー１４によって開閉可能に構成した拡開部１５を設定して行うようにする。
【００２２】
覆蓋体前面部２４に垂下設定された透明前面シート３の両側には、開放孔４１にメッシュ生地４４を張設した通気部４が設けられ、開放孔４１の一側に、上部一側を開閉可能に縫着４２され下側の所定部位まで袋状に縫着４５したフラップ４３が通気部４の表面を覆うようになっており、通気部が固定的な開放状態や覆蓋状態となることを避け、フラップの過度なはためきを避けて自然な覆着形態とすることによって、風雨等によってフラップ表面側に圧力が掛かる場合にはフラップ４３が内側に圧接してその侵入を防護し、無風或いは微風状態の場合にはフラップが自然な気流に誘導されて適切で自然な通気作用が行われるものである。
【００２３】
このように構成された座席シートカバーは、拡開部１５を設けた場合には、自転車のチャイルドシート、ベビーカーや車いす等、幼児や老人等を乗せたままの状態で、先ず、覆蓋体のエア吹込み口２７から袋状支持骨格２１にエアの注入を行ない、拡開部１５を広げて座席部をシートカバー１で覆ってファスナー１４を閉じ、下端縁切れ込み凹部１３に引き出されている挿通紐材５を、絞り部材５１によって絞り調整してカバー本体の裾部をシートフレームに締着し、一挙にカバー覆着を行える。
【実施例１】
【００２４】
実施例１は、覆蓋体２の袋状支持骨格２１を、屋根部２２の周辺の４辺及び側部窓２３の上辺、後背辺、上部前端から後背部下端に斜めに下降する斜辺に沿って三角形状に形成するもので、これにより袋状支持骨格２１の数を少なくして天蓋の屋根２２の前端を水平に支持して座席スペースの居住域を広く確保することができる。
【００２５】
側部窓２３の後背辺と上部前端から後背部下端に斜めに下降する斜辺の袋状支持骨格２１によって立体構成が確保されるので、先ず、上下に全面開閉するスライドファスナー１４による拡開部１５を開いて座席シートＳに覆いかぶせ、後背面２５に設定された締着バンド６により座席シートＳにカバー本体１を固定した後、庇護搭乗者を搭乗させ、シートベルトＳｂを着用させてからファスナー１４を閉めれば、庇護搭乗者に余計な行動をさせることなく座席シートカバーの着装を行うことができる。
【００２６】
図９はヘッドレスがないタイプの座席シートに、カバー本体１を固定した状態を示したもので、図８における締着バンド６１を選択し、下方に設定された両端に嵌着片を設けた６１ａの両端を座席背部の孔から引き出し、両側に設定された６１ｂ、６１ｂを座席の両肩から引き出して先端同士を嵌着させて、座席シートにカバーを固定するものである。
【００２７】
図１０は覆蓋体の後背面２５に、座席シートにカバー本体を固定する締着バンドを座席の形態に対応して複数種設定した状態を示し、図６に示すように予め舌片６を配設しておいて、前記６１のほかヘッドレスの両側を締め付けるゴムバンドタイプ６２、６２、面ファスナータイプ６３、６３が色分けされて設定されている。
【００２８】
覆蓋体の後背面２５とカバー本体の後背部１２の上縁との着合部は、カバー本体の後背部１２の上縁中央部１２ａがせり上がって覆蓋体の後背面２５との重合構造により、図８に示すような通気口が形成され、下からの自由な通気が行われるようになっている。
【実施例２】
【００２９】
実施例２は、図３に示すように垂下設定された前面風防を構成する透明前面シート３の下側周縁の周端縁と、これに沿う座席カバーの上縁との着合をファスナー（ダブルファスナーを用いれば開閉が容易になる。）３３による着合として、透視窓を構成する透明前面シート３を開閉可能に構成すると共に、前面シート１１の両側に棒ハンドル等の側方突出物をカバー外に露出させる面ファスナーによる開閉自在な切り割り部１６を設けるようにしたものである。
【００３０】
この実施例は、幼児等体重の軽い搭乗者に対応し、カバー本体を大きく広げることなく透明前面シート３をファスナーで開閉して搭乗者を昇降させる自転車のフロントシートに取り付けたチャイルドシート等への着装を可能にしたものである。
【００３１】
切り割り部１６は面ファスナー１６ａにより引っ張るだけで接離するので、ハンドル位置に合わせて握り部を露出させて着装し、シートフレームにカバー本体を固定して下端裾部を絞り処理したうえで、透明前面シート３を開いて搭乗者を着席させファスナーを閉じるものである。
【産業上の利用可能性】
【００３２】
本発明に係る座席シートカバーは、自転車のチャイルドシート、ベビーカーや車いす等、幼児や老人等を乗せる座席シートに広く適用することができ、育児や介護等に大きく貢献するもので、育児産業、介護産業上に高度の利用価値を有するものである。
【符号の説明】
【００３３】
１      カバー本体
１１    カバー本体の前面部
１２    カバー本体の後背部
１２ａ  カバー本体後背部の上縁中央部
１３    カバー本体の前面切れ込み凹部
１４    スライドファスナー
１５    カバー本体の拡開部
１６    ハンドル等を挿通するカバー本体の切り割り部
１６ａ  切り割り部を開閉する面ファスナー
２      覆蓋体
２１    袋状支持骨格
２２    覆蓋体の屋根
２３    覆蓋体の側部窓
２４    覆蓋体の前面部
２５    覆蓋体の後面部
２６    覆蓋体の支持骨格強化熔着ライン
２７    覆蓋体のエア吹込み口
３      透明前面シート
３１    透明前面シートの周縁ファスナー
３２    裾部挿通紐材の止着部
３３    透明前面シート周縁と座席カバーの上縁との着合ファスナー
３４    覆蓋体透明窓のキャラクター模様
４      通気部
４１    通気部の開放孔
４２    フラップの開閉可能な縫着部
４３    フラップ
４４    通気部の開放孔に張設されたメッシュ生地
４５    フラップ下側の所定部位まで袋状縫着部
５      裾部挿通紐材
５１    挿通紐材の絞り締止部材
６      締着バンド等設定用舌片
６１    座席カバー固定用締着バンド
６２    座席カバー固定用ゴムバンド
６３    座席カバー固定用面ファスナー
７      覆蓋体上縁部との縫着用舌片
Ｓ      座席シート
Ｓｂ    シートベルト
【要約】
【課題】従来の座席シートカバーは、庇護搭乗者の居住スペースを確保する場合には支持部材が棒状でシートフレームへの取り付けが面倒なうえ、折り畳んで携帯する軽便性に欠ける恨みがあり、柔軟なシート生地により構成して折り畳み携帯を可能に構成した場合には、庇護搭乗者の座席スペースが狭隘で息苦しい座席環境となる問題があった。
【解決手段】座席シートを覆うカバー本体１の上部に、エアを注入する袋状支持骨格２１を周縁屈角部等に配して立体状に構成した覆蓋体２の前面に、前面風防を構成する透明前面シートを垂下設定した透明蓋体３を連接し、カバー本体の裾部下端縁に紐材５を挿通して絞り伸縮調整可能に構成した。
【選択図】図１【図１】
0005628383.tif 000002
【図２】
0005628383.tif 000003
【図３】
0005628383.tif 000004
【図４】
0005628383.tif 000005
【図５】
0005628383.tif 000006
【図６】
0005628383.tif 000007
【図７】
0005628383.tif 000008
【図８】
0005628383.tif 000009
【図９】
0005628383.tif 000010
【図１０】
0005628383.tif 000011
【図１１】
0005628383.tif 000012